(57)【特許請求の範囲】
【請求項１】
植栽用ポッドを載置可能とする左右方向に長い複数の棚体と、
複数の前記棚体を多段状をなすように支持する支持体とを有し、
前記棚体は、前記支持体に対し組み合わされる背板と、前記背板から前方に突き出す底板と、前記底板の前端から上方に突き出す前板とを備えており、
前記前板は、その上端に向かうに連れて前記背板との間の距離を漸増させるように傾斜しており、
前記前板によって前記植栽用ポットの側部を支持して前記植栽用ポットの開口面が斜め上方を向くようにして前記棚体上に前記植栽用ポットを載置するようになっており、
前記棚体は前記支持体に対し、第一位置と第二位置との間に亘る左右方向の移動を可能にした状態で組み合わされており、前記第二位置においては上下に隣り合う前記棚体間の距離がやや広くなるようにしてなる、植栽用ポットのディスプレイ用棚装置。
【請求項２】
前記第一位置に前記棚体があるときは、一つの前記棚体の前記前板と、この一つの前記棚体の一段上に位置される他の一つの前記棚体の前記前板との間の距離が、載置を予定する前記植栽用ポットの側部の太さと実質的に等しくなるようにしてなる、請求項１に記載の植栽用ポットのディスプレイ用棚装置。
【請求項３】
前記棚体と前記支持体とは、これらの一方に設けた係合孔に、これらの他方に設けた係合突部を納めて組み合わされており、前記係合孔に前記第一位置において前記係合突部が引っかかる第一部分と、前記第二位置において前記係合突部が引っかかる第二部分と、両者間に位置される段差部分とを形成させてなる、 請求項１又は請求項２に記載の植栽用ポットのディスプレイ用棚装置。
【発明の詳細な説明】
【技術分野】
【０００１】
この発明は、複数の植栽用ポットを多段状に配置できるようにした植栽用ポットのディスプレイ用棚装置の改良に関する。
【背景技術】
【０００２】
観葉植物などの植栽用ポットを、上下方向に複数陳列できるようにするために、棚を多段に備えたスタンド、シェルフ、ラックなどと称される棚装置が用いられている。
【０００３】
この種の棚装置にあっては、植栽用ポットはそれぞれ、その開口を上方に向けた状態で載置されることから、上方に位置される植栽用ポットの植物はそれより低い位置からは観賞し難くなる。
【０００４】
また、この種の棚装置にあっては、植栽用ポットを安定的に載置させながら、その載せ替えなどを容易に行えるようにする工夫が求められるところである。
【発明の概要】
【発明が解決しようとする課題】
【０００５】
この発明が解決しようとする主たる問題点は、この種の棚装置の利便性をより向上させる点にある。
【課題を解決するための手段】
【０００６】
前記課題を達成するために、この発明にあっては、植栽用ポットのディスプレイ用棚装置を、植栽用ポッドを載置可能とする左右方向に長い複数の棚体と、
複数の前記棚体を多段状をなすように支持する支持体とを有し、
前記棚体は、前記支持体に対し組み合わされる背板と、前記背板から前方に突き出す底板と、前記底板の前端から上方に突き出す前板とを備えており、
前記前板は、その上端に向かうに連れて前記背板との間の距離を漸増させるように傾斜しており、
前記前板によって前記植栽用ポットの側部を支持して前記植栽用ポットの開口面が斜め上方を向くようにして前記棚体上に前記植栽用ポットを載置するようになっており、
前記棚体は前記支持体に対し、第一位置と第二位置との間に亘る左右方向の移動を可能にした状態で組み合わされており、前記第二位置においては上下に隣り合う前記棚体間の距離がやや広くなるようにしてなる、ものとした。
【０００７】
前記第一位置に前記棚体があるときは、一つの前記棚体の前記前板と、この一つの前記棚体の一段上に位置される他の一つの前記棚体の前記前板との間の距離が、載置を予定する前記植栽用ポットの側部の太さと実質的に等しくなるようにしておくことが、この発明の好ましい態様の一つとされる。
【０００８】
また、前記棚体と前記支持体とは、これらの一方に設けた係合孔に、これらの他方に設けた係合突部を納めて組み合わされており、前記係合孔に前記第一位置において前記係合突部が引っかかる第一部分と、前記第二位置において前記係合突部が引っかかる第二部分と、両者間に位置される段差部分とを形成させておくことが、この発明の好ましい態様の一つとされる。
【発明の効果】
【０００９】
この発明によれば、複数の植栽用ポットを多段状に配置できるようにしながら、いずれの段においても植物が眺めやすくなるように植栽用ポットが支持でき、しかも、各植栽用ポットの支持状態を安定的なものとしながら、各植栽用ポットの載せ替えなどを容易に行うことができる。
【図面の簡単な説明】
【００１０】
【図１】図１は、この発明の一実施の形態にかかる植栽用ポットのディスプレイ装置の正面図である。
【図２】図２は、前記ディスプレイ装置の平面図である。
【図３】図３は、前記ディスプレイ装置の底面図である。
【図４】図４は、前記ディスプレイ装置の右側面図である。
【図５】図５は、図１におけるＡ−Ａ線位置での断面図である。
【図６】図６は、前記ディスプレイ装置を構成する棚体と支持体とを分離した状態で表した斜視図である。
【図７】図７は、前記支持体を壁に取り付けた状態を示した正面図である。
【図８】図８は、図７におけるＢ−Ｂ線位置での断面図である。
【図９】図９は、前記ディスプレイ装置の上から二段目までを表した部分正面図であり、棚体は第一位置にある。
【図１０】図１０は、前記ディスプレイ装置の上から二段目までを表した部分右側面図であり、棚体は第一位置にある。
【図１１】図１１は、前記ディスプレイ装置の上から二段目までを表した部分正面図であり、上段の棚体は第二位置にある。
【図１２】図１２は、前記ディスプレイ装置の上から二段目までを表した部分右側面図であり、上段の棚体は第二位置にある。
【図１３】図１３は、前記ディスプレイ装置の要部分離斜視図であり、棚体の一つの右端と、右側に位置される支持体の垂直部の一部を表して示している。
【図１４】図１４は、図１〜図１３に示されるディスプレイ装置の一部変更例を示した要部分離斜視図であり、棚体の一つの右端と、右側に位置される支持体の垂直部の一部を表して示している。
【発明を実施するための形態】
【００１１】
以下、図１〜図１４に基づいて、この発明の典型的な実施の形態について、説明する。この実施の形態にかかる植栽用ポット８のディスプレイ装置は、複数の植栽用ポット８、８…を多段状に配置できるようにしながら、いずれの段においても植物が眺めやすくなるように植栽用ポット８が支持でき、しかも、各植栽用ポット８の支持状態を安定的なものとしながら、各植栽用ポット８の載せ替えなどを容易に行うことができるようにしたものである。
【００１２】
前記ディスプレイ装置は、これを構成する後述の支持体２を建物の壁Ｗに固定することで、建物内外の壁面緑化を実現するものとして利用することができる。
【００１３】
また、前記ディスプレイ装置は、これを例えば建物内の空間を仕切るように設置することで、植物で覆われたパーテーションとして利用することができる。
【００１４】
図示の例では、前記ディスプレイ装置は、正面視の状態において、縦長の長方形状をなす外郭形状を持つようになっており、複数の前記ディスプレイ装置を横方向に、あるいは、縦方向に、あるいは、横方向及び縦方向に組み合わせて、前記壁面緑化に、あるいは、前記パーテーションとして利用することも可能となっている。
【００１５】
前記ディスプレイ装置は、前記植栽用ポッドを載置可能とする複数の棚体１、１…と、複数の前記棚体１、１…を多段状をなすように支持する支持体２とを有している。複数の前記棚体１、１…は、実質的に、同寸、同形のものとなっている。
【００１６】
前記棚体１は、前記支持体２に対し組み合わされる背板１０と、前記背板１０から前方に突き出す底板１１と、前記底板１１の前端から上方に突き出す前板１２とを備えている。
【００１７】
図示の例では、前記棚体１は、左右方向に長く、一つの棚体１上に、複数の植栽用ポット８、８…を水平方向に並列状に載置できるようになっている。
【００１８】
また、図示の例では、前記棚体１は、その左端及び右端にそれぞれ側板１３を備えている。この側板１３は、その後辺を前記背板１０に一体化させ、その下辺を前記底板１１に一体化させ、その前辺を前記前板１２に一体化させている（図６参照）。
【００１９】
図示の例では、前記棚体１は、前記背板１０、前記底板１１、前記前板１２、及び、左右の前記側板１３、１３によって、上面開口の箱状を呈しており、その内部に水を貯めることができるようになっている。これにより、図示の例では、水を通過させる機能を備えた植栽用ポット８に植栽された植物に、前記棚体１内に貯留した水を供給できるようになっている。
【００２０】
図示の例では、前記棚体１の前記底板１１にはぞれぞれ、貫通孔１１ａが形成されており、この貫通孔１１ａに排水パイプ１４が差し込まれている。前記底板１１からの排水パイプ１４の突き出し量を変えることで、前記棚体１内に貯留される水の液面レベルを管理することが可能となっている。前記排水パイプ１４は、ディスプレイ装置を左右に二分する仮想の鉛直線ｘに対し、やや左側、または、やや右側に、偏った位置に設けられている。具体的には、前記排水パイプ１４は、上下に隣り合う前記棚体１の一方では前記仮想の鉛直線ｘの右側に、他方では前記仮想の鉛直線ｘの左側に、位置するように設けられており、流下する水は蛇行しながら最下段の前記棚体１に流入するようになっている。なお、図中符号１１ｂで示すのは、前記棚体１内から水を完全に抜き出すときに使用する排水孔であり、通常は図示しない栓体で塞ぐようにしている。
【００２１】
図示の例では、前記ディスプレイ装置に、最下段の前記棚体１の排水パイプ１４から流下される水を貯留する貯留槽（図示は省略する。）と、この貯留槽に蓄えられた水を最上段の前記棚体１に揚水供給するポンプを含んだ給水機構（図示は省略する。）と、この給水機構の制御手段（図示は省略する。）とを備えさせ、前記貯留槽の水を間欠的に、例えば、一週間に一回、最上段の前記棚体１内に供給するようにすることで、ディスプレイ装置に外部から新たに供給する水を必要最小限にした状態で、各前記棚体１内の植物に必要な量の水を適切に供給できるようになっている。
【００２２】
また、前記棚体１の前記前板１２は、その上端に向かうに連れて前記背板１０との間の距離を漸増させるように傾斜している。
【００２３】
図示の例では、前記棚体１の背板１０は、その板面を鉛直線に沿うようにして、前記支持体２に組み合わされるようになっている。一方、前記底板１１には、前記背板１０との間に、上面側において９０度よりやや大きい角度を形成するようにして、前下がりの傾斜が付与されている。また、前記前板１２には、前記底板１１との間に、上面側において９０度よりやや大きい角度を形成するようにして、前上がりの傾斜が付与されている。
【００２４】
複数の前記棚体１はそれぞれ、前記前板１２によって前記植栽用ポット８の側部８０を支持して前記植栽用ポット８の開口面８１が斜め上方を向くようにして、つまり、前記植栽用ポット８の開口面８１が前方を向き且つこの開口面８１の法線８２が斜め上方を向くようにして、前記棚体１上に前記植栽用ポット８を載置するようになっている。
【００２５】
図示の例では、前記植栽用ポット８は、六面体の一面が前記開口面８１となるようにし、この開口面８１に対向する底部８３と、四つの側部８０…８０とを備えた構成となっている。前記底部８３と四つの側部８０…８０の一つとの間には、面取り状部８４が形成されている。図示の例では、前記植栽用ポット８は、前記面取り状部８４を前記棚体１の前記底板１１に接しさせ、かつ、前記四つの側部８０の一つを前記棚体１の前記前板１２に接しさせ、さらに、前記底部８３と上側に位置される側部８０ｂとの間の隅部を前記背板１０に接しさせるようにして、棚体１上に載置されるようになっている（図５参照）。
【００２６】
一方、前記支持体２は、図示の例では、上下方向に長い、実質的に長方形の枠状を呈している。図示の例では、前記支持体２は、左右の垂直部２０、２０と、上下の水平部２１、２１とを有している。これら垂直部２０及び水平部２１は、前記支持体２の後方に開放側を向けるようにしたチャンネル材によって構成されている。左右の垂直部２０、２０間の距離は、前記棚体１の左右方向の長さよりも小さくなっている。
【００２７】
図示の例では、前記支持体２は、その枠内において垂直部２０に固定されるＬ字型の取り付け金物３を利用して、壁Ｗに固定できるようになっている（図７、図８参照）。図中符号４は前記垂直部２０と取り付け金物３の屈曲部を挟んだ一方側とを固定するボルトであり、符号５は取り付け金物３の屈曲部を挟んだ他方側を壁に固定するビスである。
【００２８】
このように構成される支持体２に対し、複数の前記棚体１、１…はそれぞれ、第一位置と第二位置との間に亘る水平方向の移動を可能にした状態で組み合わされている。それと共に、前記第二位置においては上下に隣り合う前記棚体間の距離がやや広くなるように、より具体的にはこの実施の形態にあっては、前記第二位置においては前記第一位置よりも前記棚体１がやや上方において支持されるようになっている。
【００２９】
これにより、この実施の形態に係るディスプレイ装置にあっては、第一に、複数の植栽用ポット８、８…を多段状に配置することができる。また、第二に、前記棚体１は植栽用ポット８の開口面８１が斜め上方を向くように支持することから、ディスプレイ装置によって植栽用ポット８の植物は眺めやすい状態で陳列される。また、第三に、上下に隣り合う前記棚体１、１間の距離を、それぞれの棚体１が第一位置にある状態では載置される上下に隣り合う前記棚体１、１間から植栽用ポット８が脱落し難いように設定しておくと共に、上下に隣り合う前記棚体１のうち上側に位置される前記棚体１を第二位置に移動させることで、上下に隣り合う前記棚体１間から下側に位置される前記棚体１に載置された植栽用ポット８を抜き出しやすいように拡大させることができる。これにより、各棚体１を前記第一位置に位置づけた状態においては前記植栽用ポット８の支持状態を安定的なものとしながら、各植栽用ポット８の載せ替えなどを行う場合には、上下に隣り合う前記棚体１のうち上側に位置される前記棚体１を第二位置に移動させることで、これを容易に行うことができるようになっている。
【００３０】
この実施の形態にあっては、前記棚体１と前記支持体２とは、これらの一方に設けた係合孔６に、これらの他方に設けた係合突部７を納めて組み合わされている。前記係合孔６には、前記第一位置において前記係合突部７が引っかかる第一部分６０と、前記第二位置において前記係合突部７が引っかかる第二部分６１と、両者間に位置される段差部分６２とが形成されている。
【００３１】
図１〜図１３に示される第一例では、前記係合孔６は、前記棚体１に形成されている。係合孔６は、前記棚体１の背板１０の左右にそれぞれ形成された、この背板１０を前後に貫通する穴となっている。
【００３２】
前記第一例では、左右の係合孔６はそれぞれ、四角形状の上穴部６３と、四角形状の下穴部６４とから構成されている。上穴部６３の下辺６３ａと下穴部６４の上辺６４ａとが実質的に同じレベルに位置されるようになっている。上穴部６３と下穴部６４とは、上穴部６３の右辺６３ｂと下穴部６４の左辺６４ｂにおいて連通している。
【００３３】
前記第一例では、前記係合突部７は、前記支持体２の左右の垂直部２０、２０にそれぞれ形成されている。係合突部７は、垂直部２０の前方を向いた面部に、左右の縦向きの切れ目７１、７１と、この左右の縦向きの切れ目７１、７１の上端間に亘る横向きの切れ目７２とからなる切断部７０を形成させると共に、この切断部７０の内側を前記左右の縦向きの切れ目７１、７１の下端間となる箇所を折り曲げ中心として折り曲げて前方に突き出させることで形成されている。
【００３４】
そして、前記第一例では、前記係合突部７は、前記係合孔６の上穴部６３と、前記係合孔６の下穴部６４とのいずれか一方に、前記棚体１の後方より選択的に受入される構成となっている。
【００３５】
前記支持体２の左右の垂直部２０、２０には、前記棚体１の段数に合わせて、高さ位置を異にする複数の係合突部７が形成されている。図示の例では、前記棚体１の段数は７段であり、したがって、前記支持体２の左右の垂直部２０、２０にはそれぞれ、上下方向に隣り合う係合突部７との間に略等しい間隔を開けて、７つの係合突部７が形成されている。左側の垂直部２０の一つの係合突部７の位置されるレベルには、右側の垂直部２０にこれと対となる係合突部７が位置されるようになっている。
【００３６】
同じレベルにある左側の垂直部２０の係合突部７及び右側の垂直部２０の係合突部７をそれぞれ、前記棚体１の前記係合孔６の上穴部６３に受入させることにより、前記棚体１は前記第一位置に保持されるようになっている（図１、図４、図５、図９、図１０）。このとき、係合突部７は、上穴部６３の上辺６３ｃに引っかかる。すなわち、第一例では、上穴部６３の上辺６３ｃが前記第一部分６０として機能するようになっている。
【００３７】
この実施の形態にあっては、前記第一位置に前記棚体１があるときは、一つの前記棚体１の前記前板１２と、この一つの前記棚体１の一段上に位置される他の一つの前記棚体１の前記前板１２との間の距離ｙが、載置を予定する前記植栽用ポット８の側部８０の太さと実質的に等しくなるようにしてある（図１０）。具体的には、一つの前記棚体１の前記前板１２とこの一つの前記棚体１の一段上に位置される他の一つの前記棚体１の前記前板１２との間の距離ｙが、前記植栽用ポット８の四つの側部８０のうち前記棚体１の前板１２に接する側部８０ａとこれに対向する側部８０ｂとの間の距離と実質的に等しくなるようにしてある（図１０参照）。
【００３８】
なお、図示の例では、前記棚体１の前板１２の上端には、上方に突き出して、前板１２に支持される植栽用ポット８の開口面８１の下端縁に引っかかる折り返し部１２ａが形成されている。図示の例では、この折り返し部１２ａの先端と一段上に位置される他の一つの前記棚体１の前記前板１２との間の距離ｙ’は、載置を予定する前記植栽用ポット８の側部８０の太さよりも小さくなるようにしてある（図１０参照）。
【００３９】
前記棚体１が前記第一位置にある状態から、係合突部７が下穴部６４に入り込む位置まで棚体１をやや持ち上げながら、左側の垂直部２０の係合突部７及び右側の垂直部２０の係合突部７がそれぞれ下穴部６４に受入される位置まで前記棚体１を左側にスライド移動させると、係合突部７は下穴部６４に入り込んで下穴部６４の上辺６４ａに引っかかり、前記棚体１は前記第二位置に保持されるようになっている（図１１、図１２）。すなわち、第一例では、下穴部６４の上辺６４ａが前記第二部分６１として機能し、また、上穴部６３の右辺６３ｂが前記段差部分６２に相当するようになっている。
【００４０】
図１４は、前記係合突部７を前記棚体１に、前記係合孔６を前記支持体２の垂直部２０に設けさせた第二例を示している。この第二例では、下穴部６４に係合突部７が受入されているときに棚体１は第一位置にあり、上穴部６３に係合突部７が受入されているときに棚体１は第二位置にあることとなる。したがってまた、下穴部６４の下辺６４ｃが第一部分６０として機能し、上穴部６３の下辺６３ｄが第二部分６１として機能し、下穴部６４の左辺６４ｂが前記段差部分６２に相当するようになっている。
【００４１】
なお、当然のことながら、本発明は以上に説明した実施形態に限定されるものではなく、本発明の目的を達成し得るすべての実施形態を含むものである。
【符号の説明】
【００４２】
１  棚体
１０  背板
１１  底板
１２  前板
２  支持体
３  植栽用ポット
８０  側部
８１  開口面
【図１】
0006650782.tif 000002
【図２】
0006650782.tif 000003
【図３】
0006650782.tif 000004
【図４】
0006650782.tif 000005
【図５】
0006650782.tif 000006
【図６】
0006650782.tif 000007
【図７】
0006650782.tif 000008
【図８】
0006650782.tif 000009
【図９】
0006650782.tif 000010
【図１０】
0006650782.tif 000011
【図１１】
0006650782.tif 000012
【図１２】
0006650782.tif 000013
【図１３】
0006650782.tif 000014
【図１４】
0006650782.tif 000015